(57)【要約】【課題】  背丈の低い草を除去する際の安全性を向上させることができる草刈機及びブラシを提供する。【解決手段】  基体２１とこの基体２１から延出して設けられたブラシ毛２２とを有したブラシ５を、ブラシ毛２２の基体２１側を上、ブラシ毛２２の先端部側を下にした状態で、モータ９の駆動力により回転駆動し、回転するブラシ毛２２によって草を刈るようにした。【選択図】      図１
2007028954.tif 000002
【特許請求の範囲】
【請求項１】
駆動源と、
基体とこの基体から延出して設けられたブラシ毛とを有し、前記ブラシ毛の前記基体側を上、前記ブラシ毛の先端部側を下にした状態で、前記駆動源の駆動力により回転駆動されて前記ブラシ毛によって草を刈るブラシと、
を備える草刈機。
【請求項２】
前記ブラシ毛の先端部は、屈曲されている請求項１に記載の草刈機。
【請求項３】
前記ブラシ毛の表面には、複数の突起が設けられている請求項１に記載の草刈機。
【請求項４】
前記ブラシ毛は、該ブラシ毛の軸方向に沿って連続した波形状に形成されている請求項１に記載の草刈機。
【請求項５】
前記ブラシは、前記ブラシ毛の撓みを規制する規制プレートを有する請求項１に記載の草刈機。
【請求項６】
前記駆動源の駆動力を用いて前記ブラシを自転及び公転させる変換機構を備える請求項１に記載の草刈機。
【請求項７】
前記ブラシ毛として、前記ブラシの内周部に配設された金属製ブラシ毛と、前記ブラシの外周部において前記金属製ブラシ毛を囲繞する位置に配設された樹脂製ブラシ毛とが設けられている請求項１に記載の草刈機。
【請求項８】
草刈機本体に取り付けられる基体と、
この基体から延出して設けられたブラシ毛と、
を備え、
前記ブラシ毛の前記基体側を上、前記ブラシ毛の先端部側を下にした状態で回転駆動されて前記ブラシ毛によって草を刈るブラシ。
【発明の詳細な説明】
【技術分野】
【０００１】
本発明は、草刈機及びこの草刈機に用いられるブラシに関する。
【背景技術】
【０００２】
従来、草刈機として、回転刃を回転させて草を刈る草刈機（例えば、特許文献１，２参照）、回転体に対してブラシ毛が放射状に取り付けられて構成されたブラシを水平軸回りに回転させて草を刈る草刈機（例えば、特許文献３，４参照）、鋏構造によって草を刈る草刈機等が知られている。
【特許文献１】特開平５−２７６８３２号公報
【特許文献２】実開昭６０−１６８３０５号公報
【特許文献３】特公昭５８−３９４８９号公報
【特許文献４】実開平７−３０６１２号公報
【発明の開示】
【発明が解決しようとする課題】
【０００３】
このような草刈機で背丈の低い柔らかい草を刈る場合には、草刈機を地面に近接させて動作させるが、この場合、回転刃や鋏構造によって草を刈る草刈機では、刃が地面上の石に当たって欠けるおそれがある。また、ブラシを水平軸回りに回転させる草刈機においては、地面上の石を跳ね上げて飛ばすおそれがある。
【０００４】
本発明は、上記問題点を解決するためになされたものであり、その目的とするところは、背丈の低い草を除去する際の安全性を向上させることができる草刈機及びブラシを提供することである。
【課題を解決するための手段】
【０００５】
請求項１に記載の発明の草刈機は、駆動源と、基体とこの基体から延出して設けられたブラシ毛とを有し、前記ブラシ毛の前記基体側を上、前記ブラシ毛の先端部側を下にした状態で、前記駆動源の駆動力により回転駆動されて前記ブラシ毛によって草を刈るブラシと、を備える。
【０００６】
請求項２に記載の発明は、請求項１に記載の草刈機において、前記ブラシ毛の先端部は、屈曲されている。
【０００７】
請求項３に記載の発明は、請求項１に記載の草刈機において、前記ブラシ毛の表面には、複数の突起が設けられている。
【０００８】
請求項４に記載の発明は、請求項１に記載の草刈機において、前記ブラシ毛は、該ブラシ毛の軸方向に沿って連続した波形状に形成されている。
【０００９】
請求項５に記載の発明は、請求項１に記載の草刈機において、前記ブラシは、前記ブラシ毛の撓みを規制する規制プレートを有する。
【００１０】
請求項６に記載の発明は、請求項１に記載の草刈機において、前記駆動源の駆動力を用いて前記ブラシを自転及び公転させる変換機構を備える。
【００１１】
請求項７に記載の発明は、請求項１に記載の草刈機において、前記ブラシ毛として、前記ブラシの内周部に配設された金属製ブラシ毛と、前記ブラシの外周部において前記金属製ブラシ毛を囲繞する位置に配設された樹脂製ブラシ毛とが設けられている。
【００１２】
請求項８に記載の発明のブラシは、草刈機本体に取り付けられる基体と、この基体から延出して設けられたブラシ毛と、を備え、前記ブラシ毛の前記基体側を上、前記ブラシ毛の先端部側を下にした状態で回転駆動されて前記ブラシ毛によって草を刈る。
【発明の効果】
【００１３】
請求項１，８に記載の発明によれば、ブラシ毛が地面上の石を跳ね上げることが抑制され、また、ブラシ毛は刃に比べて石に当たっても欠け難いので、背丈の低い柔らかい草を除去する際の安全性を向上させることができる。
【００１４】
請求項２に記載の発明によれば、ブラシ毛の先端部が草の葉や茎に絡み易くなり、これにより、効率良く草を除去することができる。
【００１５】
請求項３に記載の発明によれば、ブラシ毛が草野の葉や茎に絡み易くなり、これにより、効率良く草を除去することができる。また、突起によって草に傷を付けることができ、傷をつけた草をその状態で放置しても自然にその草は枯れるので、効率良く草を除去することができる。
【００１６】
請求項４に記載の発明によれば、ブラシ毛が草野の葉や茎に絡み易くなり、これにより、効率良く草を除去することができる。
【００１７】
請求項５に記載の発明によれば、ブラシ毛の広がり過ぎを抑制することができるので、草除去性能を維持することができる。また、ブラシ毛の塑性変形が抑制されるので、長期間、ブラシ毛の形状を正常に維持することができる。
【００１８】
請求項６に記載の発明によれば、ブラシ毛が自転と公転とをして草を刈るので、草除去性能を更に向上させることができる。
【００１９】
請求項７に記載の発明によれば、金属製ブラシ毛によって、草へ比較的大きなダメージを与えることができるので、草除去性能を更に向上させることができ、また、金属製ブラシ毛が樹脂製ブラシ毛に囲繞されているので、金属製ブラシ毛だけを用いる場合に比べて安全性を向上させることができる。
【発明を実施するための最良の形態】
【００２０】
[第１の実施形態]
本発明の第１の実施形態を図１及び図２を参照して説明する。図１は、本実施形態にかかる草刈機を示す縦断側面図、図２は、草刈機を示す底面図である。
【００２１】
図１及び図２に示すように、草刈機１は、草刈機本体２と、この草刈機本体２に回転自在に取り付けられた草刈回転体３とから構成されている。草刈機１は、概略的には、草刈回転体３に設けられた回転刃４によって比較的丈の長い草を刈り、草刈回転体３に設けられたブラシ５によって比較的丈の短い草を刈る構造である。
【００２２】
草刈機本体２には、下面開口の筐体６が設けられている。筐体６には、その後端部に操作桿７が設けられると共に、その左右の側部に車輪８が回転自在に設けられている。また、筐体６の内部には、草刈回転体３を回転駆動する駆動源であるモータ９と、このモータ９に電力を供給する電源１０とが設けられている。なお、電源１０は、その一部が筐体６の外部に突出している。そして、この筐体６の内部における下部に、草刈回転体３が設けられている。
【００２３】
筐体６の下端位置は、地面Ａから所定の高さに設定されている。筐体６の下端部には、筐体の内部の草刈回転体３に草を導入するための下端開口のスリット６ａが設けられている。
【００２４】
操作桿７は、回転部１１によって上下方向に角度調整自在に設けられている。また、操作桿７は、伸縮自在であり、これにより長さ調整自在となっている。操作桿７の上端部には、始動スイッチ１２、安全ロックスイッチ１３などから構成される操作部１４が設けられている。
【００２５】
モータ９は、上下方向を軸方向とするモータ軸（図示せず）に回転運動を発生するものであり、ギヤユニット１５を介して草刈回転体３に連結されており、草刈回転体３を回転駆動する。ここで、草刈回転体３の回転数は、例えば１０００ｒｐｍ〜５０００ｒｐｍとされている。
【００２６】
草刈回転体３は、回転刃４と、この回転刃４の下面に着脱自在に取り付けられたブラシ５とから構成されており、ギヤユニット１５の上下方向に沿った軸１６に固定されている。
【００２７】
回転刃４は、水平な円盤状に形成されると共にその外周部に刃４ａが突出形成されている。この回転刃４は、その中央部が軸１６に貫通された状態で軸１６に固定されている。
【００２８】
ブラシ５は、基体２１と、この基体２１の下部に植毛されて基体２１から下方に延出して設けられたブラシ毛２２とを有している。即ち、このブラシ５は、ブラシ毛２２の基体２１側を上、ブラシ毛２２の先端部側を下にした状態で配置されており、この状態でモータ９の駆動力によって回転駆動される。
【００２９】
基体２１は、回転刃４よりも小さい径の水平な円盤状に形成されると共に、その中央部が軸１６に貫通された状態で軸１６に固定されている。この基体２１は、ネジ構造１７によって回転刃４と軸１６とに固定されている。
【００３０】
ブラシ毛２２は、直状に形成されると共に、その表面には、微小な凹凸（図示せず）が形成されている。ブラシ毛２２は、具体的には、その太さが例えば１．０ｍｍ〜１．２ｍｍに形成されている。ここで、本実施形態では、ブラシ５が刈る草である比較的丈の短い草として、地面Ａから５ｍｍ〜５０ｍｍ程度の高さの草を対象とされており、これにより、ブラシ毛２２における基体２１から突出した部分の長さは、２０ｍｍ〜３５ｍｍに設定されている。ブラシ毛２２は、ナイロンを主原料として、強化剤としてのガラス繊維と、研磨剤としての金属フィラーとが混入されて構成されている。ガラス繊維は、２０％〜３０％の割合で混入されている。このブラシ毛２２は、金型を用いて成形される。
【００３１】
ブラシ毛２２は、複数本が束ねられて、毛束２３を構成しており、この毛束２３が複数個設けられている。本実施形態では、毛束２３は、軸１６回りに等間隔に４個配置されている。
【００３２】
このような構成において、始動スイッチ１２がＯＮされると、モータ９がギヤユニット１５を介して草刈回転体３を回転駆動する。そして、回転する回転刃４が刃４ａによって比較的丈の長い草を刈り、回転するブラシ５がブラシ毛２２によって比較的丈の短い草を刈る。
【００３３】
ブラシ５による草刈を詳しく説明する。回転するブラシ毛２２を草に当てると、比較的柔らかい草の場合には、ブラシ毛２２が草に絡み付いてその草を引っ張りその草を刈る。一方、茎が硬かったり根の張りが強固な草の場合には、ブラシ毛２２によって葉のみが刈られる場合がある。この場合、葉が刈られて茎だけとなった草が地面Ａに残ってしまうが、このような草は自然と枯れるので、除草としては十分なものとなる。また、草の根が浅い場合や地面Ａの土が軟らかい場合には、回転するブラシ毛２２が土を掘り起こして、草を根こそぎ刈ることができる。そして、ブラシ５は、ブラシ毛２２の基体２１側を上、ブラシ毛２２の先端部側を下にした状態で回転するので、ブラシ毛２２による地面Ａ上の石の跳ね上げが抑制され、また、ブラシ毛２２は刃に比べて石に当たっても欠け難いので、よって、背丈の低い草を除去する際の安全性を向上させることができる。さらには、ブラシ毛２２は、その可撓性によって、石に当たっても撓んで石を乗り越えることができるので、石があっても背丈の比較的低い草を除去することができる。
【００３４】
また、草刈機１に操作桿７が設けられていることにより、操作者が立った状態で草刈機１を運転することができるので、腰をかがめて作業しなければならい曲がり鎌を使用する場合に比べて、楽な作業姿勢で草を除去することができる。
【００３５】
また、ブラシ毛２２に研磨剤が含まれていることにより、ブラシ毛２２の表面の摩擦係数が研磨剤が無い場合に比べて向上しているので、回転するブラシ毛２２による草へのダメージをより大きくすることができ、よって、効率良く草を刈ることができる。
【００３６】
[第２の実施形態]
次に、本発明の第２の実施形態を図３ないし図５を参照して説明する。前記の実施形態と同じ部分は、同一符号で示し説明も省略する（以降の実施形態でも同じ）。図３は、実施形態にかかるブラシ５を示す側面図、図４は、本実施形態にかかる第１の変形例のブラシ５を示す側面図、図５は、本実施形態にかかる第２の変形例のブラシ５を示す側面図である。
【００３７】
本実施形態は、ブラシ５のブラシ毛２２の形状が第１の実施形態に対して異なる。本実施形態のブラシ毛２２の先端部は、Ｊ字状に屈曲されており、この屈曲部分は、草を引っ掛ける引掛け部３１とされている。そして、これらのブラシ５は、引掛け部３１がある一方向に向けられた状態で基体２１に設けられている。このようなブラシ毛２２は、ブラシ毛２２を直状に型成形した後に屈曲形状のみを成形するのが、全体を同時に成形する場合に比べて、生産性が良く好適である。
【００３８】
ここで、第１変形例及び第２変形例のブラシ５を順に説明する。第１変形例の各ブラシ５は、引掛け部３１が任意な方向に向いた状態で基体２１に設けられている。
【００３９】
第２変形例のブラシ５は、ブラシ５の先端部がレ字状に屈曲されて引掛け部４１が形成されている。
【００４０】
このような構成においては、ブラシ毛２２の先端部が屈曲されているので、回転するブラシ毛２２の先端部が草野の葉や茎に絡み易くなり、よって、効率良く草を除去することができる。
【００４１】
[第３の実施形態]
次に、本発明の第３の実施形態を図６及び図７を参照して説明する。図６は、本実施形態にかかるブラシ５を示す側面図、図７は、本実施形態にかかる変形例のブラシ５を示す側面図である。
【００４２】
本実施形態は、ブラシ５のブラシ毛２２の形状が第１の実施形態に対して異なる。本実施形態のブラシ５のブラシ毛２２の表面には、先端に向かうに従い細くなるトゲ状の突起５１が複数形成されている。この突起５１は、例えば、ブラシ毛２２の成型時に同時に成型される。
【００４３】
ここで、変形例のブラシ５を説明する。本変形例のブラシ５のブラシ毛２２の突起６１は、繊維状に形成されている。この突起６１は、ブラシ毛２２の軸方向に対して垂直又は斜め上方に向けて突出させるのが好適である。この突起６１の太さは、例えばブラシ毛２２における突起６１が無い部分の直径の１／２程度に設定されている。この突起６１も、例えば、ブラシ毛２２の成型時に同時に成型される。
【００４４】
このような構成においては、ブラシ毛２２の表面に複数の突起５１や６１が設けられていることにより、突起５１や６１が設けられていない場合に比べて、ブラシ毛２２の表面の摩擦係数が向上し、ブラシ毛２２が草野の葉や茎にさらに絡み易くなり、よって、さらに効率良く草を除去することができる。また、突起５１や６１によって草により傷を付けることができるので、さらに効率良く草を除去することができる。
【００４５】
[第４の実施形態]
次に、本発明の第４の実施形態を図８を参照して説明する。図８は、本実施形態にかかるブラシ５を示す側面図である。
【００４６】
本実施形態は、ブラシ５のブラシ毛２２の形状が第１の実施形態に対して異なる。本実施形態のブラシ５のブラシ毛２２は、該ブラシ毛２２の軸方向に沿って連続した波形状に形成されている。この波形状は、例えば、ブラシ毛２２を成型するときに同時に形成される。
【００４７】
このような構成においては、ブラシ毛２２が波形状に形成されていることにより、直線状のブラシ毛２２に比べて草の葉や茎により絡み易くなると共に、草により傷を付けることができるので、より効率良く草を除去することができる。
【００４８】
[第５の実施形態]
次に、本発明の第５の実施形態を図９及び１０を参照して説明する。図９は、本実施形態にかかるブラシ５を示す側面図、図１０は、ブラシ５を示す底面図である。
【００４９】
本実施形態は、ブラシ５に撓み規制プレート７１が設けられている点が前述した実施形態に対して異なるものであり、前述した何れの実施形態にも適用可能である。なお、図９及び図１０には、第３の実施形態のブラシ５に適用した例が示されている。
【００５０】
規制プレート７１は、ブラシ毛２２の撓みを規制するものであり、基体２１の下面に複数個（本実施形態では４個）が立設されている。これらの規制プレート７１は、基体２１の中心から放射状に配置されており、隣合う規制プレート７１間には、毛束２３が配置されている。規制プレート７１は、ブラシ毛２２の先端部が規制プレート７１よりも下方に突出するように形成されている。ここで、規制プレート７１の高さは、ブラシ毛２２のうちの基体２１から突出した部分の高さの１／３〜２／３が好適である。また、規制プレート７１の材料は、ブラシ毛２２の撓みを規制する強度が得られるものであれば良く、例えば、基体２１と同じ材料であって良い。
【００５１】
このような構成においては、回転するブラシ毛２２が草に当たることによるブラシ毛２２の広がり過ぎを規制プレート７１によって抑制することができるので、草刈性能を維持することができる。また、このとき、規制プレート７１によってブラシ毛２２の塑性変形が抑制されるので、長期間、ブラシ毛２２の形状を正常に維持することができ、よって、草刈性能を長期間維持することができる。
【００５２】
[第６の実施形態]
次に、本発明の第６の実施形態を図１１を参照して説明する。なお、必要に応じて適宜他の図面を用いて説明する。図１１は、本実施形態にかかるブラシ付近を部分断面で示す底面図である。
【００５３】
本実施形態は、ブラシ５が変換機構である遊星ギヤ機構８１を介して軸１６に連結され、ブラシ５が自転及び公転する点が、前述した各実施形態に対して異なる。本実施形態では、回転刃４（図１参照）の下面に遊星ギヤ機構８１が設けられており、遊星ギヤ機構８１の遊星ギヤ８２にブラシ５が設けられている。
【００５４】
遊星ギヤ機構８１は、回転刃４と軸１６とに固定されそれらと共に回転する回転板８３を有している。この回転板８３の下方には、軸１６と同心配置されると共に筐体６（図１参照）に固定されたリングギヤ８４が設けられている。そして、４個の遊星ギヤ８２が、リングギヤ８４の内側に配置されている。これらの遊星ギヤ８２は、回転板８３の下面に軸８５を介して回転自在に設けられてリングギヤ８４と噛合わされている。したがって、この遊星ギヤ機構８１では、軸１６が回転すると回転板８３が回転し、これにより、遊星ギヤ８２が軸１６の回りを公転しながら軸８５回りに自転する。
【００５５】
ブラシ５は、遊星ギヤ８２に一体に構成されている。即ち、ブラシ５の基体は、遊星ギヤ８２によって構成されており、ブラシ毛２２は、遊星ギヤ８２の下部に植毛されて遊星ギヤ８２から下方に延出して設けられている。また、本実施形態では、毛束２３は、軸８５回りに等間隔に４個配置されている。
【００５６】
また、本実施形態では、遊星ギヤ機構８１の下部及び側部を覆うカバー８６が設けられている。このカバー８６には、ブラシ毛２２が貫通した窓８６ａが形成されている。このカバー８６は、軸１６と共に回転するように設けられている。
【００５７】
このような構成において、モータ９（図１参照）によって軸１６が回転されると、遊星ギヤ機構８１の動作によって、ブラシ５が軸１６の回りを公転しながら、軸８５回りに自転する。このとき、ブラシ５は、その自転によって草の葉や茎に絡み、その公転によってその草を引きちぎるので、効率良く草を刈ることができる。
【００５８】
また、本実施形態では、遊星ギヤ機構８１がカバー８６によって覆われているので、リングギヤ８４と遊星ギヤ８２との噛合い部分に草や土が入ることを抑制することができる。
【００５９】
[第７の実施形態]
次に、本発明の第７の実施形態を図１２を参照して説明する。図１２は、本実施形態にかかるブラシ５を示す底面図である。
【００６０】
本実施形態は、ブラシ５のブラシ毛２２が前述した実施形態に対して異なるものであり、前述した何れの実施形態にも適用可能である。なお、図１２には、第１の実施形態のブラシに適用した例が示されている。
【００６１】
本実施形態では、ブラシ５のブラシ毛として、ブラシ５の内周部に設けられた金属製ブラシ毛９１と、ブラシ５の外周部において金属製ブラシ毛９１を囲繞して設けられた樹脂製ブラシ毛９２とが設けられている。より詳しくは、金属製ブラシ毛９１、樹脂製ブラシ毛９２は、それぞれ複数本が束ねられて、毛束９３，９４を構成しており、金属製ブラシ毛９１からなる毛束９３がブラシ５の内周部に複数個設けられ、樹脂製ブラシ毛９２からなる毛束９４がブラシ５の外周部に複数個設けられている。ここで、樹脂製ブラシ毛９２は、例えばナイロン樹脂によって構成されている。
【００６２】
このような構成においては、金属製ブラシ毛９１によって、草へ大きなダメージを与えることができるので、草刈性能を更に向上させることができる。また、この構成においては、金属製ブラシ毛９１が樹脂製ブラシ毛９２に囲繞されていることにより、金属製ブラシ毛９１が切れた場合であっても、その切れた金属製ブラシ毛９１が飛散することが樹脂製ブラシ毛９２によって阻まれるので、金属製ブラシ毛９１だけを用いる場合に比べて、安全性を向上させることができる。
【００６３】
なお、本発明は、上述した各実施形態に限ることなく本発明の要旨を逸脱しない範囲で他の実施形態を各種採用することができる。
【００６４】
例えば、上記実施形態では、刃４ａが形成された回転刃４にブラシ５を設けた例を説明したが、例えば、鋏切り式回転刃を備えた草刈機のその鋏切り式回転刃にブラシ５を配置しても良い。
【００６５】
また、上記実施形態では、草刈機１として、回転刃４を備えた草刈機１を例に説明したが、これに限るものではなく、例えば、回転刃４を備えない草刈機であっても良い。
【００６６】
また、ブラシ５を回転駆動する駆動源としてモータ９を例に説明したが、駆動源としては、例えばガソリンエンジンなどの内燃機関であっても良い。
【００６７】
また、第２ないし第４の実施形態においては、ブラシ毛２２に付加する形状を一つずつ説明したが、これらのブラシ毛２２の形状を２つ以上組み合わせてブラシ毛２２を形成しても良い。また、第６の実施形態のブラシ毛２２に第２ないし第４の実施形態のブラシ毛２２の形状又はそれらを組み合わせた形状を適用しても良い。
【図面の簡単な説明】
【００６８】
【図１】本発明の第１の実施形態にかかる草刈機を示す縦断側面図である。
【図２】本発明の第１の実施形態にかかる草刈を示す底面図である。
【図３】本発明の第２の実施形態にかかるブラシを示す側面図である。
【図４】本発明の第２の実施形態にかかる第１の変形例のブラシを示す側面図である。
【図５】本発明の第２の実施形態にかかる第２の変形例のブラシを示す側面図である。
【図６】本発明の第３の実施形態にかかるブラシを示す側面図である。
【図７】本発明の第３の実施形態にかかる変形例のブラシを示す側面図である。
【図８】本発明の第４の実施形態にかかるブラシを示す側面図である。
【図９】本発明の第５の実施形態にかかるブラシを示す側面図である。
【図１０】本発明の第５の実施形態にかかるブラシを示す底面図である。
【図１１】本発明の第６の実施形態にかかるブラシ付近を示す底面図である。
【図１２】本発明の第７の実施形態にかかるブラシを部分断面で示す底面図である。
【符号の説明】
【００６９】
１    草刈機
５    ブラシ
９    モータ（駆動源）
２１  基体
２２  ブラシ毛
５１  突起
６１  突起
７１  規制プレート
８１  遊星ギヤ機構（変換機構）
８２  遊星ギヤ(基体)
９１  金属製ブラシ毛
９２  樹脂製ブラシ毛
【図１】
2007028954.tif 000003
【図２】
2007028954.tif 000004
【図３】
2007028954.tif 000005
【図４】
2007028954.tif 000006
【図５】
2007028954.tif 000007
【図６】
2007028954.tif 000008
【図７】
2007028954.tif 000009
【図８】
2007028954.tif 000010
【図９】
2007028954.tif 000011
【図１０】
2007028954.tif 000012
【図１１】
2007028954.tif 000013
【図１２】
2007028954.tif 000014